【手続補正書】
【提出日】平成17年7月11日(2005.7.11)
【手続補正１】
【補正対象書類名】明細書
【補正対象項目名】特許請求の範囲
【補正方法】変更
【補正の内容】
【特許請求の範囲】
【請求項１】
原稿を読み取り、該原稿上の画像を表す画像データを生成する読取手段と、入力された画像データに基づく画像を印刷する印刷手段とを備える画像処理装置を用いた画像処理方法であって、
複写開始指示に応じて前記読取手段により、ソースデータの印刷物としての前記原稿の読み取りを開始させる読取制御ステップと、
前記読取制御ステップで読み取らせた前記原稿上の画像に基づき生成した画像データを前記印刷手段に供給して該画像データに基づく画像を印刷させるか、又は、前記読取制御ステップで読み取らせた前記原稿上に含まれるソースデータの格納場所に関するインデックス情報に基づき該ソースデータを検索するかを選択する選択ステップと、
前記選択ステップにより前記ソースデータを検索すると選択された場合、前記読取制御ステップで読み取った前記原稿上の画像に含まれるインデックス情報を抽出する抽出ステップと、
前記抽出ステップで抽出した前記インデックス情報を用いて前記画像のソースデータを前記ソースデータの格納場所から読み出す読出ステップと、
前記読出ステップで読み出した前記ソースデータに基づく前記画像を前記印刷手段で印刷させる印刷制御ステップと
を有することを特徴とする画像処理方法。
【請求項２】
前記インデックス情報と前記ソースデータの格納場所とを対応付けたテーブルを参照して前記インデックス情報から前記ソースデータの格納場所を導き出すステップを更に有することを特徴とする請求項１に記載の画像処理方法。
【請求項３】
前記インデックス情報には、前記ソースデータの識別子及び前記ソースデータが格納されている前記ソースデータの格納場所におけるディレクトリが含まれ、
前記読出ステップは、前記識別子及び前記ディレクトリに従って前記ソースデータを読み出すことを特徴とする請求項１又は２に記載の画像処理方法。
【請求項４】
前記インデックス情報には、前記ソースデータの著作権情報、或いは利用者を特定する利用者情報が含まれることを特徴とする請求項１乃至３のいずれかに記載の画像処理方法。
【請求項５】
前記読取制御ステップで読み取らせる前記原稿には、前記インデックス情報を暗号化してから付加された場合に用いる鍵情報が付加され、
前記読出ステップは、前記鍵情報に基づき前記インデックス情報を抽出することを特徴とする請求項１乃至４のいずれかに記載の画像処理方法。
【請求項６】
前記インデックス情報には、前記読取制御ステップで読み取らせる前記原稿上に所定の大きさのブロックで人間の視覚では認識し難い形式で複数ブロックが繰り返し埋め込まれ、
前記抽出ステップは、前記複数ブロックのうちのいずれかを抽出することを特徴とする請求項１乃至５のいずれかに記載の画像処理方法。
【請求項７】
前記ソースデータが複数ページで構成されている場合に、前記読取制御ステップで該ソースデータに対応する原稿として少なくとも１ページの原稿を読み取ることにより前記抽出ステップにおける前記インデックス情報の抽出を行い、前記読出ステップにおける読み出しを行うことを特徴とする請求項１乃至６のいずれかに記載の画像処理方法。
【請求項８】
ユーザによる操作に基づき可変設定可能な複写パラメータを設定する設定ステップを更に有することを特徴とする請求項１乃至７のいずれかに記載の画像処理方法。
【請求項９】
原稿を読み取り、該原稿上の画像を表す画像データを生成する読取手段と、
入力された画像データに基づく画像を印刷する印刷手段と、
複写開始指示に応じて前記読取手段により、ソースデータの印刷物としての前記原稿の読み取りを開始させる読取制御手段と、
前記読取制御手段によって読み取らせた前記原稿上の画像に基づき生成した画像データを前記印刷手段に供給して前記画像データに基づく画像を印刷させるか、又は、前記読取制御手段で読み取らせた前記原稿上に含まれるソースデータの格納場所に関するインデックス情報に基づき該ソースデータを検索するかを選択する選択手段と、
前記選択手段により前記ソースデータを検索すると選択された場合、前記読取制御手段で読み取った前記画像に含まれるインデックス情報を抽出する抽出手段と、
前記抽出手段で抽出した前記インデックス情報を用いて前記画像のソースデータを前記ソースデータの格納場所から読み出す読出手段と、
前記読出手段で読み出した前記ソースデータに基づく画像を前記印刷手段で印刷させる印刷制御手段と
を有することを特徴とする画像処理装置。
【請求項１０】
コンピュータが読み取り可能な記憶媒体に記憶され、コンピュータにより実行可能な画像処理プログラムであって、原稿を読み取り、該原稿上の画像を表す画像データを生成する読取手段と、入力された画像データに基づく画像を印刷する印刷手段とを備える画像処理装置に、
複写開始指示に応じて前記読取手段により、ソースデータの印刷物としての原稿の読み取りを開始させる読取制御手順と、
前記読取制御手順で読み取らせた前記原稿上の画像に基づき生成した画像データを前記印刷手段に供給して該画像データに基づく画像を印刷させるか、又は、前記読取制御手順で読み取らせた前記原稿上に含まれるソースデータの格納場所に関するインデックス情報に基づき該ソースデータを検索するかを選択する選択手順と、
前記選択手順により前記ソースデータを検索すると選択された場合、前記読取制御手順で読み取った前記画像に含まれるインデックス情報を抽出する抽出手順と、
前記抽出手順で抽出した前記インデックス情報を用いて前記画像のソースデータを前記ソースデータの格納場所から読み出す読出手順と、
前記読出手順で読み出した前記ソースデータに基づく画像を前記印刷手段で印刷させる印刷制御手順と
を実行させることを特徴とする画像処理プログラム。
【請求項１１】
原稿を読み取り、該原稿上の画像を表す画像データを生成する読取手段と、入力された画像データに基づく画像を印刷する印刷手段とを備える画像処理装置に実行させるための画像処理プログラムを記憶したコンピュータ読み取り可能な記憶媒体であって、
複写開始指示に応じて前記読取手段により、ソースデータの印刷物としての原稿の読み取りを開始させる読取制御手順と、
前記読取制御手順で読み取らせた前記原稿上の画像に基づき生成した画像データを前記印刷手段に供給して該画像データに基づく画像を印刷させるか、又は、前記読取制御手順で読み取らせた前記原稿上に含まれるソースデータの格納場所に関するインデックス情報に基づき該ソースデータを検索するかを選択する選択手順と、
前記選択手順により前記ソースデータを検索すると選択された場合、前記読取制御手順で読み取った前記画像に含まれるインデックス情報を抽出する抽出手順と、
前記抽出手順で抽出した前記インデックス情報を用いて前記画像のソースデータを前記ソースデータの格納場所から読み出す読出手順と、
前記読出手順で読み出した前記ソースデータに基づく前記画像を前記印刷手段で印刷させる印刷制御手順と
を前記画像処理装置に実行させるための画像処理プログラムを格納したことを特徴とするコンピュータ読み取り可能な記憶媒体。
【手続補正２】
【補正対象書類名】明細書
【補正対象項目名】０００６
【補正方法】変更
【補正の内容】
【０００６】
【課題を解決するための手段】
上記目的を達成するため、本発明は、
原稿を読み取り、該原稿上の画像を表す画像データを生成する読取手段と、入力された画像データに基づく画像を印刷する印刷手段とを備える画像処理装置を用いた画像処理方法であって、
複写開始指示に応じて前記読取手段により、ソースデータの印刷物としての前記原稿の読み取りを開始させる読取制御ステップと、
前記読取制御ステップで読み取らせた前記原稿上の画像に基づき生成した画像データを前記印刷手段に供給して該画像データに基づく画像を印刷させるか、又は、前記読取制御ステップで読み取らせた前記原稿上に含まれるソースデータの格納場所に関するインデックス情報に基づき該ソースデータを検索するかを選択する選択ステップと、
前記選択ステップにより前記ソースデータを検索すると選択された場合、前記読取制御ステップで読み取った前記原稿上の画像に含まれるインデックス情報を抽出する抽出ステップと、
前記抽出ステップで抽出した前記インデックス情報を用いて前記画像のソースデータを前記ソースデータの格納場所から読み出す読出ステップと、
前記読出ステップで読み出した前記ソースデータに基づく前記画像を前記印刷手段で印刷させる印刷制御ステップと
を有することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
上記目的を達成するため、本発明に係る画像処理装置は、
原稿を読み取り、該原稿上の画像を表す画像データを生成する読取手段と、
入力された画像データに基づく画像を印刷する印刷手段と、
複写開始指示に応じて前記読取手段により、ソースデータの印刷物としての前記原稿の読み取りを開始させる読取制御手段と、
前記読取制御手段によって読み取らせた前記原稿上の画像に基づき生成した画像データを前記印刷手段に供給して前記画像データに基づく画像を印刷させるか、又は、前記読取制御手段で読み取らせた前記原稿上に含まれるソースデータの格納場所に関するインデックス情報に基づき該ソースデータを検索するかを選択する選択手段と、
前記選択手段により前記ソースデータを検索すると選択された場合、前記読取制御手段で読み取った前記画像に含まれるインデックス情報を抽出する抽出手段と、
前記抽出手段で抽出した前記インデックス情報を用いて前記画像のソースデータを前記ソースデータの格納場所から読み出す読出手段と、
前記読出手段で読み出した前記ソースデータに基づく画像を前記印刷手段で印刷させる印刷制御手段と
を有することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】変更
【補正の内容】
【００２５】
上記目的を達成するため、本発明は、
コンピュータが読み取り可能な記憶媒体に記憶され、コンピュータにより実行可能な画像処理プログラムであって、原稿を読み取り、該原稿上の画像を表す画像データを生成する読取手段と、入力された画像データに基づく画像を印刷する印刷手段とを備える画像処理装置に、
複写開始指示に応じて前記読取手段により、ソースデータの印刷物としての原稿の読み取りを開始させる読取制御手順と、
前記読取制御手順で読み取らせた前記原稿上の画像に基づき生成した画像データを前記印刷手段に供給して該画像データに基づく画像を印刷させるか、又は、前記読取制御手順で読み取らせた前記原稿上に含まれるソースデータの格納場所に関するインデックス情報に基づき該ソースデータを検索するかを選択する選択手順と、
前記選択手順により前記ソースデータを検索すると選択された場合、前記読取制御手順で読み取った前記画像に含まれるインデックス情報を抽出する抽出手順と、
前記抽出手順で抽出した前記インデックス情報を用いて前記画像のソースデータを前記ソースデータの格納場所から読み出す読出手順と、
前記読出手順で読み出した前記ソースデータに基づく画像を前記印刷手段で印刷させる印刷制御手順と
を実行させることを特徴とする。
【手続補正２２】
【補正対象書類名】明細書
【補正対象項目名】００２６
【補正方法】変更
【補正の内容】
【００２６】
上記目的を達成するため、本発明は、
原稿を読み取り、該原稿上の画像を表す画像データを生成する読取手段と、入力された画像データに基づく画像を印刷する印刷手段とを備える画像処理装置に実行させるための画像処理プログラムを記憶したコンピュータ読み取り可能な記憶媒体であって、
複写開始指示に応じて前記読取手段により、ソースデータの印刷物としての原稿の読み取りを開始させる読取制御手順と、
前記読取制御手順で読み取らせた前記原稿上の画像に基づき生成した画像データを前記印刷手段に供給して該画像データに基づく画像を印刷させるか、又は、前記読取制御手順で読み取らせた前記原稿上に含まれるソースデータの格納場所に関するインデックス情報に基づき該ソースデータを検索するかを選択する選択手順と、
前記選択手順により前記ソースデータを検索すると選択された場合、前記読取制御手順で読み取った前記画像に含まれるインデックス情報を抽出する抽出手順と、
前記抽出手順で抽出した前記インデックス情報を用いて前記画像のソースデータを前記ソースデータの格納場所から読み出す読出手順と、
前記読出手順で読み出した前記ソースデータに基づく前記画像を前記印刷手段で印刷させる印刷制御手順と
を前記画像処理装置に実行させるための画像処理プログラムを格納したことを特徴とする。